(57)【特許請求の範囲】
【請求項１】
充電端子が、ＨＯＴ側の配線部とＧＮＤ側の配線部とを含む配線部を通して繋がれた充電回路と、
所定周波数帯の電波を受信するアンテナと、
前記ＨＯＴ側の配線部と前記充電回路との間に接続される第１インダクタ、前記ＧＮＤ側の配線部と前記充電回路との間に接続される第２インダクタおよび前記第２インダクタと接続されるキャパシタを含むことにより、前記充電端子と前記配線部とが有する共振周波数を高周波側に移動させて、前記アンテナの前記所定周波数帯へ与える干渉を軽減する軽減部とを備える、通信端末。
【請求項２】
前記キャパシタは、前記第２インダクタと並列に接続される、請求項１記載の通信端末。
【請求項３】
充電端子が配線部を通して繋がれた充電回路と、
所定周波数帯の電波を受信するアンテナとを備え、
前記アンテナは、第１周波数帯および第２周波数帯の電波を受信し、
前記配線部は、前記充電端子を含むＨＯＴ側およびＧＮＤ側の電源ラインのそれぞれに含まれ、
前記充電回路は、前記ＨＯＴ側のラインおよび前記ＧＮＤ側の電源ラインに含まれる配線部を通して、各電源ラインの充電端子と繋がれ、
前記ＨＯＴ側の電源ラインにおいて前記充電回路と接続される二次電池、および
前記充電端子と前記配線部とが有する共振周波数を高周波側に移動させることで、前記アンテナの前記所定周波数へ与える干渉を軽減する軽減部をさらに備え、
前記軽減部は、前記ＨＯＴ側の電源ライン上に設けられる第１インダクタと、前記第１インダクタと前記二次電池との間に設けられ一端は前記第１インダクタと接続され、他端はＧＮＤに接続される第１キャパシタと、前記ＧＮＤ側の電源ライン上に設けられる第２インダクタと、前記第２インダクタと並列に設けられる第２キャパシタとを含むことにより、前記共振周波数を高周波側に移動させる、通信端末。
【請求項４】
筐体と、
前記筐体の内部に含まれる取り付け板とをさらに備え、
前記アンテナは、前記取り付け板の主面に取り付けられ、
前記充電端子は、前記筐体の外側に露出するように取り付けられ、
前記配線部は、前記取り付け板の内部を通して前記充電端子と接続され、かつ前記取り付け板の他面において前記アンテナと近接した状態で取り付けられる、請求項１ないし３のいずれかに記載の通信端末。
【発明の詳細な説明】
【技術分野】
【０００１】
この発明は、通信端末に関し、特に充電回路を有する、通信端末に関する。
【背景技術】
【０００２】
充電回路を有する、通信端末の一例が特許文献１に開示されている。特許文献１の充電システムは、たとえば携帯電話機などで利用される。充電システムでは、電源装置から供給される電源電圧が充電回路で充電電圧に変圧される。そして、この充電電圧が充電回路から２次電池に出力されると、２次電池が充電される。
【特許文献１】特開２００７−３３６６６４号公報［H02J 7/04, H02J 7/10, H01M 10/44］
【発明の概要】
【発明が解決しようとする課題】
【０００３】
背景技術の充電回路を有する携帯電話機で２次電池を充電する場合、電源装置は携帯電話機の外部に設けられた充電端子に接続される。また、充電端子は携帯電話機の内部に設けられた配線や板バネによって充電回路と繋がれている。つまり、電源装置は、充電端子から、配線、板バネなどを含む電源ラインを介して、充電回路と接続される。なお、この電源ラインには、配線のみであって、板バネが無い場合や、板バネ以外の接点が利用される場合もある。
【０００４】
ところが、充電端子や電源ラインおよび基地局通信用アンテナの配置によって、充電端子から充電回路までの電源ラインが有する共振周波数が、基地局通信用アンテナの共振周波数帯に干渉し、当該他のアンテナの通信性能を劣化させる問題が生じるおそれがある。
【０００５】
この問題に対して、充電端子の位置や配線の形状を変更して、基地局通信用アンテナとの距離を物理的に話して配置することができれば、このような問題を解決できる。しかし、コンパクトな筐体内に部品が密集している携帯電話機においては、このような方策は、現実的な解決策とは言えない。
【０００６】
それゆえに、この発明の主たる目的は、新規な、通信端末を提供することである。
【０００７】
この発明の他の目的は、充電端子から充電回路までの電源ラインがアンテナに与える干渉を、軽減することが出来る、通信端末を提供することである。
【課題を解決するための手段】
【０００８】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００９】
第１の発明は、充電端子が、ＨＯＴ側の配線部とＧＮＤ側の配線部とを含む配線部を通して繋がれた充電回路と、所定周波数帯の電波を受信するアンテナと、ＨＯＴ側の配線部と充電回路との間に接続される第１インダクタ、ＧＮＤ側の配線部と充電回路との間に接続される第２インダクタおよび第２インダクタと接続されるキャパシタを含むことにより、充電端子と配線部とが有する共振周波数を高周波側に移動させて、アンテナの所定周波数帯へ与える干渉を軽減する軽減部とを備える、通信端末である。
【００１０】
第１の発明では、通信端末（１０：実施例において対応する部分を例示する参照符号。以下、同じ。）は、二次電池（５０）を充電するための充電回路（４８）を有する。また、通信端末は、所定周波数帯の電波を受信するアンテナ（３４）も有し、通話を行うこともできる。充電回路には、電源装置と接続される充電端子（２２ａ，２２ｂ）が、ＨＯＴ側の配線部（６２ａ，６４ｂ）およびＧＮＤ側の配線部（６２ｂ，６４ｂ）を含む配線部を通して繋がれている。また、充電端子と配線部とによって、アンテナの所定周波数帯の一部に干渉し、アンテナの通信性能を劣化させる。そこで、軽減部（ＢＦ１，ＢＦ２，Ｃ１）は、充電端子と配線部とが有する共振周波数を高周波側に移動させることで、この干渉を軽減する。軽減部の第１インダクタ（ＢＦ１）は、ＨＯＴ側の配線部と充電回路との間に接続され、第２インダクタ（ＢＦ２）は、ＧＮＤ側の配線部と充電回路との間に接続され、キャパシタ（Ｃ１）は、第２インダクタと接続され、これにより、充電端子と配線部とが有する共振周波数が高周波側に移動する。
【００１１】
第１の発明によれば、アンテナの所定周波数帯の一部において生じるアンテナの通信性能の劣化を軽減させることが出来る。
【００１２】
第２の発明は、第１の発明に従属し、軽減部は、配線部と充電回路との間に接続されるインダクタ（ＢＦ１，ＢＦ２）およびインダクタと接続されるキャパシタ（Ｃ１）を含む。
【００１３】
第２の発明によれば、インダクタおよびキャパシタを組み合わせた単純な回路で、アンテナの所定周波数帯の一部において生じるアンテナの通信性能の劣化を軽減させることが出来る。
【００１８】
第２の発明は、第１の発明に従属し、キャパシタは、第２インダクタと並列に接続される。
【００１９】
第３の発明は、充電端子が配線部を通して繋がれた充電回路と、所定周波数帯の電波を受信するアンテナとを備え、アンテナは、第１周波数帯および第２周波数帯の電波を受信し、配線部は、充電端子を含むＨＯＴ側およびＧＮＤ側の電源ラインのそれぞれに含まれ、充電回路は、ＨＯＴ側のラインおよびＧＮＤ側の電源ラインに含まれる配線部を通して、各電源ラインの充電端子と繋がれ、ＨＯＴ側の電源ラインにおいて充電回路と接続される二次電池、および充電端子と配線部とが有する共振周波数を高周波側に移動させることで、アンテナの前記所定周波数へ与える干渉を軽減する軽減部をさらに備え、軽減部は、ＨＯＴ側の電源ライン上に設けられる第１インダクタと、第１インダクタと二次電池との間に設けられ一端は第１インダクタと接続され、他端はＧＮＤに接続される第１キャパシタと、ＧＮＤ側の電源ライン上に設けられる第２インダクタと、第２インダクタと並列に設けられる第２キャパシタとを含むことにより、共振周波数を高周波側に移動させる、通信端末である。
【００２０】
第４の発明は、第１の発明ないし第３の発明のいずれかに従属し、筐体と、筐体の内部に含まれる取り付け板とをさらに備え、アンテナは、取り付け板の主面に取り付けられ、充電端子は、筐体の外側に露出するように取り付けられ、配線部は、取り付け板の内部を通して充電端子と接続され、かつ取り付け板の他面においてアンテナと近接した状態で取り付けられる。
【発明の効果】
【００２２】
この発明によれば、充電端子から充電回路までの配線部が、アンテナに与える干渉を、軽減させることが出来る。
【００２３】
この発明の上述の目的、その他の目的、特徴および利点は、図面を参照して行う以下の実施例の詳細な説明から一層明らかとなろう。
【図面の簡単な説明】
【００２４】
【図１】図１はこの発明の一実施例の携帯電話機を示す外観図である。
【図２】図２は図１に示す携帯電話機の電気的な構成を示す図解図である。
【図３】図３は図２に示す充電端子および充電回路の周辺の回路構成の一例を示す図解図である。
【図４】図４は図３に示す充電端子、配線および回路基板の取り付け位置の関係の一例を示す図解図である。
【図５】図５は図４に示す基地局通信用のアンテナにおいて、充電端子から充電回路までの電源ラインに施す対策を変化させた場合の通信性能（アンテナ効率）の変化を調べた実験結果の一例を示す表の図解図であり、図５（Ａ）は複数の対策におけるアンテナ効率の一例を示し、図５（Ｂ）は各対策の効果を示す差分表の一例を示す。
【図６】図６は、本実施例を適用していない場合（図５：未対策）の基地局通信用アンテナの周波数特性を調べた実験結果を示すグラフの図解図である。
【図７】図７は、本実施例を適用した場合（図５：対策３）の基地局通信用アンテナの周波数特性を調べた実験結果を示すグラフの図解図である。
【発明を実施するための形態】
【００２５】
図１（Ａ），（Ｂ）を参照して、この発明の一実施例の携帯電話機１０は、一例としてフィーチャーフォン(feature phone)であり、縦長の扁平矩形の筐体１２を含む。ただし、この発明は、いわゆるスマートフォン(smart phone)、タブレット端末およびＰＤＡなど任意の通信端末に適用可能であることを予め指摘しておく。
【００２６】
筐体１２の一方主面（表面）には、表示部として機能する、たとえば液晶や有機ＥＬなどのディスプレイ１４が設けられる。また、筐体１２の一方主面には、メニューキー、方向入力キー、確定キー、テンキー、通話キーおよび終話キーなどを含む、ハードキー１６が設けられている。したがって、この実施例の携帯電話機１０では、大部分の入力操作は、このハードキー１６を介して行われる。筐体１２の縦方向一端の表面側にスピーカ１８が内蔵され、縦方向他端の表面側にマイク２０が内蔵される。また、筐体１２の一方他面（裏面）には、電源装置を接続するための充電端子２２ａおよび充電端子２２ｂが設けられる。
【００２７】
たとえば、ユーザは、テンキーに対して、キー操作を行うことで電話番号を入力でき、通話キーを操作して音声通話を開始することが出来る。終話キーを操作すれば、音声通話を終了することが出来る。なお、ユーザは、この終話キーを長押しすることによって、携帯電話機１０の電源をオン／オフすることが出来る。
【００２８】
メニューキーが操作されると、ディスプレイ１４にメニュー画面が表示される。ユーザは、その状態でディスプレイ１４に表示されているソフトキーやメニューアイコン（共に図示せず）を、方向入力キーによって操作可能なカーソルによって選択し、確定キーを操作することで、その選択を確定させることが出来る。
【００２９】
また、携帯電話機１０は充電用のクレードルに設置されると充電が開始される。この充電用のクレードルには電源装置と繋がる２つのコネクタが設けられている。そして、クレードルの２つのコネクタと携帯電話機１０の２つの充電端子２２とが接触すると、電源装置から携帯電話機１０に給電される。
【００３０】
なお、図１（Ａ），（Ｂ）では図示されていないが、携帯電話機１０上側側面にはＵＳＢコネクタが設けられている。ＵＳＢコネクタにＵＳＢケーブルが接続されると、外部端末との間でデータ通信を行うことが出来る。また、ＵＳＢケーブルが電源と接続された場合、その電源から携帯電話機１０に給電される。
【００３１】
図２を参照して、図１に示す実施例の携帯電話機１０は、コンピュータまたはＣＰＵと呼ばれるプロセッサ３０を含む。プロセッサ３０には、無線通信回路３２、Ａ／Ｄ変換器３６、Ｄ／Ａ変換器３８、入力装置４０、表示ドライバ４２、フラッシュメモリ４４、ＲＡＭ４６および充電回路４８などが接続される。
【００３２】
プロセッサ３０は、携帯電話機１０の全体制御を司る。ＲＡＭ４６には、フラッシュメモリ４４に予め設定されているプログラムの全部または一部が使用に際して展開され、プロセッサ３０はこのＲＡＭ４６上のプログラムに従って動作する。なお、ＲＡＭ４６はさらに、プロセッサ３０のワーキング領域ないしバッファ領域として用いられる。
【００３３】
入力装置４０は、図１に示すハードキーキー１６を含むものであり、操作部または入力部を構成する。ユーザが操作したキーの情報（キーデータ）はプロセッサ３０に入力される。
【００３４】
無線通信回路３２は、基地局通信用アンテナ３４を通して、音声通話やメールなどのための電波を送受信するための回路である。実施例では、無線通信回路３２は、ＣＤＭＡ方式での無線通信を行うための回路である。たとえば、ユーザがハードキー１６を操作して電話発信（発呼）を指示すると、無線通信回路３２は、プロセッサ３０の指示の下、電話発信処理を実行し、基地局通信用アンテナ３４を介して電話発信信号を出力する。電話発信信号は、基地局および通信網を経て相手の電話機に送信される。そして、相手の電話機において着信処理が行われると、通信可能状態が確立され、プロセッサ３０は通話処理を実行する。
【００３５】
通常の通話処理について具体的に説明すると、相手の電話機から送られてきた変調音声信号は基地局通信用アンテナ３４によって受信される。受信された変調音声信号には、無線通信回路３２によって復調処理および復号処理が施される。そして、これらの処理によって得られた受話音声信号は、Ｄ／Ａ変換器３８によって音声信号に変換された後、スピーカ１８から出力される。一方、マイク２０を通して取り込まれた送話音声信号は、Ａ／Ｄ変換器３６によって音声データに変換された後、プロセッサ３０に与えられる。音声データには、プロセッサ３０の指示の下、無線通信回路３２によって符号化処理および変調処理が施され、基地局通信用アンテナ３４を介して出力される。したがって、変調音声信号は、基地局および通信網を介して相手の電話機に送信される。
【００３６】
また、相手の電話機からの電話発信信号が基地局通信用アンテナ３４によって受信されると、無線通信回路３２は、電話着信（着呼）をプロセッサ３０に通知する。これに応じて、プロセッサ３０は、表示ドライバ４２を制御して、着信通知に記述された発信元情報（電話番号など）をディスプレイ１４に表示する。また、上記処理に伴い、プロセッサ３０は、スピーカ１８から着信音（着信メロディ、着信音声と言うこともある。）を出力させる。
【００３７】
そして、ユーザが入力装置４０に含まれる通話キーを用いて応答操作を行うと、無線通信回路３２は、プロセッサ３０の指示の下、電話着信処理を実行する。さらに、通信可能状態が確立され、プロセッサ３０は上述した通話処理を実行する。
【００３８】
また、通話可能状態に移行した後に入力装置４０に含まれる終話キーによって通話終了操作が行われると、プロセッサ３０は、無線通信回路３２を制御して、通話相手に通話終了信号を送信する。そして、通話終了信号の送信後、プロセッサ３０は通話処理を終了する。また、先に通話相手から通話終了信号を受信した場合も、プロセッサ３０は通話処理を終了する。さらに、通話相手によらず、移動通信網から通話終了信号を受信した場合も、プロセッサ３０は通話処理を終了する。
【００３９】
なお、本実施例の無線通信回路３２は、８１６ＭＨｚ〜８９４ＭＨｚの第１周波数帯の信号と、１８５１ＭＨｚ〜１９８８ＭＨｚの第２周波数帯の信号とを処理することが出来る。そして、基地局通信用アンテナ３４は、第１周波数帯と第２周波数帯との電波をそれぞれ送受信することが出来る。
【００４０】
Ａ／Ｄ変換器３６には図１に示すマイク２０が接続され、上述のようにマイク２０からの音声信号はこのＡ／Ｄ変換器３６でディジタルの音声データに接続され、プロセッサ３０に入力される。Ｄ／Ａ変換器３８にはスピーカ１８が接続される。Ｄ／Ａ変換器３８は、ディジタルの音声データを音声信号に変換して、アンプを介してスピーカ１８に与える。したがって、音声データの音声がスピーカ１８から出力される。
【００４１】
なお、プロセッサ３０は、たとえばユーザによるボリュームの操作に応答して、Ｄ／Ａ変換器３８に接続されるアンプの増幅率を制御することによって、スピーカ１８から出力される音声の音量を調整することが出来る。
【００４２】
表示ドライバ４２はディスプレイ１４およびプロセッサ３０と接続され、プロセッサ３０から出力される画像データをＶＲＡＭに記憶する。そして、表示ドライバ４２は、ＶＲＡＭのデータに対応する画像を、ディスプレイ１４に表示する。つまり、表示ドライバ４２は、プロセッサ３０の指示の下、当該表示ドライバ４２に接続されたディスプレイ１４の表示を制御する。なお、ディスプレイ１４には、たとえばＬＥＤなどを光源とするバックライトが設けられており、表示ドライバ４２はプロセッサ３０の指示に従って、そのバックライトの明るさや、点灯／消灯を制御する。
【００４３】
充電回路４８は、充電部として機能する電源管理用のＩＣであり、リチウムイオン電池である二次電池５０、充電端子２２ａおよび充電端子２２ｂなどが接続される。また、充電回路４８は、二次電池５０の電池残量を計測し、プロセッサ３０に出力する。さらに、充電回路４８は二次電池５０の電圧に基づく電源をシステム全体に供給する。ここで、充電回路４８が電源をシステム全体に供給している場合には、電源オン状態と言うことにする。一方、充電回路４８が電源をシステム全体に供給していない場合には、電源オフ状態と言うことにする。ただし、電源オフ状態であっても、入力装置４０からのキーデータを受け付ける必要があるため、プロセッサ３０には常に電源が供給される。充電回路４８は、電源オフ状態で、入力装置４０によって電源オン操作がされると起動され、電源オン状態で、入力装置４０による電源オフ操作がされると停止される。さらに、電源オフ状態であっても、充電回路４８は、充電端子２２ａ，２２ｂに電源装置が接続され、二次電池５０に電力が供給（充電）されると起動し、二次電池５０の満充電状態が検出されると停止される。
【００４４】
また、電源装置が交流電源の場合、ＡＣ−ＤＣアダプタなどによって変換された直流電源が、充電端子２２ａおよび充電端子２２ｂに接続される。
【００４５】
なお、ここで言う「充電」とは、充電端子２２ａおよび充電端子２２ｂを介して電源装置から電力の供給を受けて、二次電池５０に電気エネルギーを蓄えることを言う。そして、プロセッサ３０は、充電回路４８によって計測された電圧値に基づいて満充電状態を検出する。
【００４６】
図３は各充電端子２２ａ，２２ｂと充電回路４８との周辺の回路構成を示す回路図である。図３を参照して、筐体１２の一方他面、つまり表側にはＨＯＴ側の充電端子２２ａおよびＧＮＤ側の充電端子２２ｂが設けられている。また、筐体１２の裏側には、充電端子２２ａおよび充電端子２２ｂのそれぞれを、回路基板６０と繋ぐための配線６２ａおよび配線６２ｂが設けられている。
【００４７】
回路基板６０においてＨＯＴ側には、板バネ６４ａおよびビーズフィルタＢＦ１が設けられる。また、ビーズフィルタＢＦ１と二次電池５０との間には、検知回路６６、状態通知回路６８およびコンデンサＣ２などが接続される。一方、ＧＮＤ側には、板バネ６４ｂおよびビーズフィルタＢＦ２が設けられる。また、ビーズフィルタＢＦ２と板バネ６４ｂとの間の接点には、ビーズフィルタＢＦ２と並列にコンデンサＣ１が接続される。
【００４８】
なお、検知回路６６および状態通知回路６８は、充電回路４８に含まれる。また、ＨＯＴ側において、充電端子２２ａから二次電池５０までの経路を「ＨＯＴ側の電源ライン」と言うことがある。さらに、ＧＮＤ側において、充電端子２２ｂからＧＮＤまでの経路を「ＧＮＤ側の電源ライン」言うことがある。そして、ＨＯＴ側およびＧＮＤ側の配線６２および板バネ６４は、配線部と言うことがある。
【００４９】
ＨＯＴ側の電源ラインにおいて、板バネ６４ａは配線６２ａと接触する。また、ＨＯＴ側の配線部と検知回路６６（充電回路４８）との間には、ビーズフィルタＢＦ１が設けられている。一方、ＧＮＤ側の電源ラインにおいて、板バネ６４ｂは配線６２ｂと接触する。また、ＧＮＤ側の配線部とＧＮＤとの間には、ビーズフィルタＢＦ２が設けられている。
【００５０】
なお、ビーズフィルタＢＦ１は第１インダクタ、ビーズフィルタＢＦ２は第２インダクタと呼ばれることがある。また、コンデンサＣ１は第２キャパシタ、コンデンサＣ２は第１キャパシタと呼ばれることがある。
【００５１】
また、ビーズフィルタＢＦ１，ＢＦ２は、通常のコイルよりも定格電流値が大きいため、大電流（たとえば、１Ａ）が流れる電源ラインに設けることが出来る。
【００５２】
まず、ＨＯＴ側の電源ラインでは、コンデンサＣ２は、ＧＮＤに接地されている。これにより、ＨＯＴ側の電源ラインを流れるノイズがＧＮＤに落ちる。
【００５３】
検知回路６６は、充電端子２２ａ，２２ｂに電源装置が接続されたことを検知するための回路である。検知回路６６は、汎用ＩＣであり、抵抗Ｒ１、抵抗Ｒ２およびトランジスタＴが含まれる。そのため、検知回路６６には、トランジスタＴのＢ（ベース）、Ｃ（コレクタ）およびＥ（エミッタ）と対応するポートが設けられている。また、検知回路６６のＢのポートは、ＨＯＴ側の電源ラインに接続され、ＥのポートはＧＮＤと接続され、Ｃのポートはプロセッサ３０と接続される。
【００５４】
抵抗Ｒ１はトランジスタＴとＢのポートとの間に設けられる。抵抗Ｒ２は抵抗Ｒ１とＥのポートとの間に設けられる。そして、トランジスタＴは、ＣがＣのポートと接続され、ＥがＥのポートと接続され、Ｂが抵抗Ｒ１（Ｂのポート）と接続される。
【００５５】
また、検知回路６６のＣのポートには、抵抗Ｒ３を介してプロセッサ３０から給電されている。抵抗Ｒ３とＣのポートとの間の接点にはプロセッサ３０が接続されている。つまり、Ｃのポートに入力される電圧値が検知信号として、プロセッサ３０に入力される。
【００５６】
トランジスタＴのＣには、電圧が加えられた状態となっている。ただし、電源装置が接続されていなければ、トランジスタＴのＢに電圧がかからないため、トランジスタＴのＣからＥ（ＧＮＤ）に電流が流れることはない。この状態で電源装置が充電端子２２ａ，２２ｂに接続されると、ＨＯＴ側の電源ラインに電圧が加わる。このとき、検知回路６６のＢのポートにも電圧が加わるため、トランジスタＴのＣからＥにかけて電流が流れる。すると、Ｃのポートと抵抗Ｒ３との間の電圧値が変動するため、検知信号の状態が変化する。そして、プロセッサ３０は、検知信号の状態の変化に基づいて、電源装置が充電端子２２ａ，２２ｂに接続されたことを検知する。
【００５７】
状態検知回路６８には、電源装置による充電状態を通知するための回路である。状態検知回路６８には、ＧＮＤと繋がる１番ポート、ＨＯＴ側の電源ラインと繋がる２番ポートおよび状態信号を出力する３番ポートなどが設けられる。
【００５８】
ＨＯＴ側の電源ラインに電圧が加えられると、２番ポートに電流が流れる。このとき、３番ポートから出力される状態信号が変化するため、電源装置による充電状態が通知される。ここで、図３では図示を省略しているが、回路基板６０には、ＵＳＢコネクタによる充電状態を通知するための回路が設けられている。この回路は、ＵＳＢコネクタがＵＳＢケーブルを介して電源装置と接続されると、その状態を通知する信号を出力する。
【００５９】
そして、電源装置による充電状態が通知されれば、二次電池５０に対して電源装置の電圧が加えられるように電源ラインが切り替えられる。一方、ＵＳＢコネクタによる充電状態が通知されれば、二次電池５０に対してＵＳＢケーブルから給電された電圧が加えられるように電源ラインが切り替えられる。
【００６０】
図４は、ＧＮＤ側の充電端子２２、回路基板６０および配線６２の取り付け位置の関係を示す図解図である。なお、ＨＯＴ側とＧＮＤ側とで取り付け位置の関係にはほとんど差異が無いため、図４ではアルファベットの添え字を省略する。
【００６１】
図４を参照して、筐体１２の内部には、取り付け板ＳＢおよび回路基板６０などが含まれる。取り付け板ＳＢの主面には、充電端子２２が筐体１２の外側に露出するように取り付けられている。また、取り付け板ＳＢの主面には基地局通信用アンテナ３４も取り付けられている。一方、取り付け板ＳＢの他面には、配線６２が取り付けられている。また、配線６２の一方端は、取り付け板ＳＢの内部を通して充電端子２２と接続される。そして、配線６２の他方端は、回路基板６０の主面に設けられた板バネ６４と接触している。
【００６２】
ここで、図４から分かるように、充電端子２２から回路基板６０に設けられている充電回路４８までの配線部と、基地局通信用アンテナ３４とは近接して配置される。また、充電端子２２および配線部に接続される回路には、キャパシタ成分およびインダクタ成分が含まれており、所定周波数で共振する。そして、この所定周波数は第１周波数帯に含まれるため、充電端子２２および配線部は、アンテナとして機能してしまい、第１周波数帯の電波の一部を受信する。
【００６３】
このとき、何ら対策が取られていない場合、充電端子２２から板バネ６４までの電源ライン、つまり充電端子２２と配線部が有する共振周波数が、基地局通信用アンテナ３４の共振周波数帯に干渉し、基地局通信用アンテナ３４の第１周波数帯（８１６ＭＨｚ〜８９４ＭＨｚ）の一部において通信性能が劣化する。
【００６４】
たとえば、基地局通信用アンテナ３４と上記の電源ラインとが近接している状態では、第１周波数帯の信号を受信した場合、第１周波数帯の信号はそれぞれに受信されてしまう。この場合、基地局通信用アンテナ３４で受信した信号は無線通信回路３２に入力されるが、上記の電源ラインが受信した信号は無線通信回路３２には入力されない。そのため、第１周波数帯の信号を受信するときの通信性能が劣化する。
【００６５】
一方、基地局通信用アンテナ３４から第１周波数帯の信号を送信した場合、その信号の一部が、上記の電源ラインによって吸収（受信）されてしまう。そのため、第１周波数帯の信号を送信するときの通信性能は劣化する。
【００６６】
そこで、本実施例では、このような通信性能の劣化を軽減するために、ビーズフィルタＢＦ１，ＢＦ２およびコンデンサＣ１が、ＨＯＴ側およびＧＮＤ側に設けられている。これにより、充電端子２２から板バネ６４までの電源ラインの周波数特性を変化させることができる。そして、周波数特性が変化すれば、充電端子２２から板バネ６４までの電源ラインに近接する基地局通信用アンテナ３４への干渉が軽減する。
【００６７】
ビーズフィルタＢＦ１およびビーズフィルタＢＦ２は同一部品であり、第１周波数帯（８１６ＭＨｚ〜８９４ＭＨｚ）の信号に対して、インピーダンスが約２１５〜２３０Ωとなる。そのため、充電端子２２から板バネ６４までの電源ラインは、第１周波数帯では電気的に回路基板６０と切り離された状態となる。そのため、充電端子２２および配線部のアンテナ機能が減殺され、電源ラインの周波数特性が変化する。また、ＧＮＤ側の電源ラインでは、コンデンサＣ１（たとえば、１．５ｐＦ）を追加することによって、周波数特性をさらに変化させる。
【００６８】
これにより、基地局通信用アンテナ３４の第１周波数帯の一部において生じる通信性能の劣化が軽減される。特に、本実施例では、ビーズフィルタＢＦおよびコンデンサＣを組み合わせた単純な回路で、基地局通信用アンテナ３４の第１周波数帯の一部において生じる通信性能の劣化を軽減させることができる。したがって、ビーズフィルタＢＦ１、第２ビーズフィルタＢＦ２およびキャパシタＣ１は軽減部または減殺部と呼ばれることがある。
【００６９】
図５（Ａ）は複数の対策における第１周波数帯および第２周波数帯の通信性能（アンテナ効率）の変化を調べた実験結果を示す表であり、図５（Ｂ）は各対策の効果を示す差分表である。
【００７０】
図５（Ａ）を参照して、この表には、何ら対策を施していない「未対策」の行、ＧＮＤの電源ラインにビーズフィルタＢＦ２を設けた「対策１」の行、ＨＯＴ側およびＧＮＤ側の電源ラインにビーズフィルタＢＦ１およびビーズフィルタＢＦ２を設けた「対策２」の行、ＨＯＴおよびＧＮＤの電源ラインにビーズフィルタＢＦ１およびビーズフィルタＢＦ２を設け、さらにＧＮＤの電源ラインにコンデンサＣ１を設けた「対策３（本実施例）」の行が含まれる。
【００７１】
また、第１周波数帯では、「８１６ＨＭｚ」、「８２４ＨＭｚ」、「８３６ＨＭｚ」、「８４８ＨＭｚ」、「８６１ＨＭｚ」、「８７０ＨＭｚ」、「８８２ＨＭｚ」および「８９４ＨＭｚ」のアンテナ効率が対策毎に記録されている。そして、第２周波数帯では、「１８５１ＨＭｚ」、「１８８０ＨＭｚ」、「１９０８ＨＭｚ」、「１９３０ＨＭｚ」、「１９６０ＨＭｚ」および「１９８８ＨＭｚ」のアンテナ効率が対策毎に記録されている。
【００７２】
図５（Ｂ）を参照して、この表には、「対策１」のアンテナ効率と「未対策」のアンテナ効率との差分が記録される「差分１」の行、「対策２」のアンテナ効率と「未対策」のアンテナ効率との差分が記録される「差分２」の行および「対策３」のアンテナ効率と「未対策」のアンテナ効率の差分が記録される「差分３」の行が含まれる。なお、図５（Ｂ）の各列は、図５（Ａ）の周波数と対応する。
【００７３】
「対策１」でＧＮＤ側にビーズフィルタＢＦ２が設けられると、この表の「差分１」の行から分かるように、基地局通信用アンテナ３４の第１周波数帯のアンテナ効率の劣化が抑えられる。ところが、基地局通信用アンテナ３４の第１周波数帯のアンテナ効率の劣化を抑えた影響を受けて、第２周波数帯のアンテナ効率が全体的に劣化する。
【００７４】
次に、「対策２」でＨＯＴ側の電源ラインにもビーズフィルタＢＦ１を設けた場合、基地局通信用アンテナ３４の第１周波数帯のアンテナ効率の劣化はより抑えられるが、第２周波数帯のアンテナ効率はさらに劣化する。
【００７５】
そこで、「対策３」でＧＮＤ側の電源ラインにコンデンサＣ１がさらに設けられると、第１周波数帯のアンテナ効率の劣化が最も抑えられ、かつ第２周波数帯のアンテナ効率の劣化も抑えられる。つまり、図３に示す回路構成であれば、第１周波数帯のアンテナ効率の劣化を軽減させたうえで、第２周波数帯への影響を小さくすることが出来る。
【００７６】
図６は未対策の状態における、基地局通信用アンテナ３４の周波数特性を調べた実験結果を示すグラフであり、図７は対策３の状態における、基地局通信用アンテナ３４の周波数特性を調べた実験結果を示すグラフである。図６および図７のグラフは、基地局通信用アンテナ３４のＶＳＷＲ（電圧定在波比）を示す。そして、これらのグラフでは、縦軸がＶＳＷＲの値を示し、横軸が周波数（ＭＨｚ）を示す。
【００７７】
また、これらのグラフにおけるΔ（マーカー）は「Ｍ」および数字の添え字によって識別される。そして、Ｍ１は８１６ＭＨｚ、Ｍ２は８９４ＭＨｚ、Ｍ３は１８５１ＭＨｚおよびＭ４は１９８８ＭＨｚを示す。
【００７８】
図６から分かるように、未対策の場合、Ｍ１−Ｍ２付近の波形は、がたがたと波打っていることが分かる。また、Ｍ２−Ｍ３の間には２つの谷が存在している。これに対して、図７に示すように、対策３の場合では、Ｍ１−Ｍ２の波形は、がたがたと波打っておらず、また、Ｍ２−Ｍ３の間の谷は１つとなっており、図６の場合よりも、高周波側に移動していることが分かる。
【００７９】
これは、８００ＭＨｚ−１５００ＭＨｚという広範囲に干渉していた、充電端子２２および配線部が有していた複雑な共振周波数が、対策３を実施することで、より高周波側に移動したからである。その結果、Ｍ１−Ｍ２の間の周波数帯への干渉が軽減されていることが分かる。つまり、対策３を実施する事で、基地局通信用アンテナ３４の周波数特性が変化したことの表れである。
【００８０】
なお、この電源ラインには、配線６２のみであってもよい。また、電源ラインには、板バネが無い場合や、板バネ以外の接点が利用されてもよい。
【００８１】
また、上記実施例では、通信性能の劣化が軽減されるアンテナとして、基地局通信用アンテナ３４でを例に挙げて説明したが、他の実施例では、他のアンテナ、たとえばＧＰＳアンテナ、ＴＶアンテナであってもよい。
【００８２】
また、本明細書中で挙げた、具体的な数値は、いずれも単なる一例であり、製品の仕様変更などに応じて適宜変更可能である。
【符号の説明】
【００８３】
１０    …  携帯電話機
１４    …  ディスプレイ
２２ａ，２２ｂ    …  充電端子
３０    …  プロセッサ
３４    …  基地局通信用アンテナ
４０    …  入力装置
４４    …  フラッシュメモリ
４６    …  ＲＡＭ
４８    …  充電回路
５０    …  二次電池
６２ａ，６２ｂ    …  配線
６４ａ，６４ｂ    …  板バネ
ＢＦ１，ＢＦ２    …  ビーズフィルタ
Ｃ１，Ｃ２    …  コンデンサ
【図１】
0005932389.tif 000002
【図２】
0005932389.tif 000003
【図３】
0005932389.tif 000004
【図４】
0005932389.tif 000005
【図５】
0005932389.tif 000006
【図６】
0005932389.tif 000007
【図７】
0005932389.tif 000008